(57)【要約】【課題】  ハブ装置に上り監視制御信号用光送信器及び光ファイバ伝送路を特別に用意することなしに、センタからハブ装置の遠隔監視制御を行うことを可能とする。【解決手段】  ハブ装置１０３の内部に実装している監視制御器１０７は、下り監視制御信号を、切替器出力から受信し、上り監視制御信号を一旦、切替器出力部に伝送する。下り光送信器では、予め下りＣＡＴＶ信号と上り監視制御信号を電気光変換可能とし、下り光送信器の出力であるＣＡＴＶ光信号の一部をハブ装置１０３内の光分岐器１０８により分岐させる。分岐したＣＡＴＶ光信号には上り監視制御信号が含まれており、ハブ内の光結合器１０９にて上りＣＡＴＶ光信号と結合するか、Ｎ波ＷＤＭフィルタの未使用の波長ポートに入力する。光結合器１０９にて上りＣＡＴＶ光信号と結合時に、上りＣＡＴＶ光信号波長以外の波長とする。センタ内光分岐器１１０かＮ波ＷＤＭフィルタにより、上り監視制御信号が含まれる波長光を分岐し、Ｎ＋１番目の光受信器で受信する。【選択図】  図１
2005086558.tif 000002
【特許請求の範囲】
【請求項１】
光送信器、光受信器、切替器、Ｎ波ＷＤＭ、光分光器を有しハブ装置と接続されたセンタと、
光受信器、切替器、光送信器、監視制御器、光結合器、光分岐器を有し前記センタとノード装置間に存するハブ装置と、
Ｎ分岐器を有して前記ハブ装置の光信号をＮ分岐してＮ個の前記ノード装置との間を接続するクロージャと、
光受信器および光送信器を有し、所定の加入者宅の通信機器と接続されたノード装置と、を備えて構成され、
前記ハブ装置の内部に実装された前記監視制御器を用いて、該ハブ装置の前記センタからの遠隔監視制御を可能としたことを特徴とするＣＡＴＶ監視システム。
【請求項２】
前記加入者宅の通信機器には、ＳＴＢ（セットトップボックス）、ＴＶ、ＣＭ（ケーブルモデム）、ＰＣ（パーソナルコンピュータ）、の何れかが含まれることを特徴とする請求項１に記載のＣＡＴＶ監視システム。
【請求項３】
前記ハブ装置内の光送信器は、下りＣＡＴＶ信号と上り監視制御信号を電気光変換し、前記遠隔監視制御を可能としたことを特徴とする請求項１または２に記載のＣＡＴＶ監視システム。
【請求項４】
前記光送信器は、下り光送信器の出力であるＣＡＴＶ光信号の一部を前記ハブ装置内の光分岐器により分岐させ、該分岐したＣＡＴＶ光信号には上り監視制御信号が含まれており、ハブ装置内の光結合器にて上りＣＡＴＶ光信号と結合するか、Ｎ波ＷＤＭフィルタの未使用の波長ポートに入力する、ことを特徴とする請求項１から３の何れかに記載のＣＡＴＶ監視システム。
【請求項５】
前記上り監視制御信号は、前記光結合器にて上りＣＡＴＶ光信号と結合時に、前記上りＣＡＴＶ光信号波長以外の波長とする、ことを特徴とする請求項１から４の何れかに記載のＣＡＴＶ監視システム。
【請求項６】
加入者宅の通信機器とノード装置とハブ装置とが網状に接続され、前記ハブ装置とセンタとが相互に接続されてＨＦＣシステムが構成された該ＨＦＣシステムのＣＡＴＶ監視方法であり、
前記ハブ装置の内部に監視制御器を実装し、
前記ハブ装置内の光送信器が下りＣＡＴＶ信号と上り監視制御信号を電気光変換し、
前記センタが前記電気光変換された信号に基づき通信異常の発生有無の遠隔監視制御を可能とした、ことを特徴とするＣＡＴＶ監視方法。
【請求項７】
前記光送信器は、下り光送信器の出力であるＣＡＴＶ光信号の一部をハブ装置内の光分岐器により分岐させ、該分岐したＣＡＴＶ光信号に上り監視制御信号を含ませた、ことを特徴とする請求項６に記載のＣＡＴＶ監視方法。
【発明の詳細な説明】
【技術分野】
【０００１】
本発明は、光伝送と同軸伝送を併せ持つＣＡＴＶ伝送方式であるＨＦＣ方式（ＨＦＣ：Hybrid Fiber Coaxial）において、ハブ装置の遠隔監視制御を可能とした、ＣＡＴＶ監視システムおよびＣＡＴＶ監視方法に関するものである。
【背景技術】
【０００２】
図２を参照して、従来例のＨＦＣシステムを説明する。まずは、センタ５０１から加入者に向かって信号が流れる下り方向について説明する。
センタ５０１に設置された下り光送信器にＣＡＴＶ信号を入力して電気光変換されたＣＡＴＶ光信号は、光ファイバを通りフィールド等に設置されたノード装置５０２内の下り光受信器で受信される。光ファイバ伝送路やセンタ光送信器の複数使用により冗長構成をとっている場合は、光受信器を複数設置して、各々の光受信器出力を切替器に入力し切替える。
【０００３】
ここで、上記の光電気変換されたＣＡＴＶ信号は、この後の同軸伝送路５０３（同軸ケーブル、中継増幅装置、分岐器、保安器等）を通過し各加入者宅５０４のＳＴＢ（セットトップボックス）で受信し、ＴＶに映像／音声信号等を送る。またＣＭ（ケーブルモデム）で受信し、ＰＣ（パーソナルコンピュータ）等にデータ信号を送る。
【０００４】
次に加入者宅からセンタに向けて信号が流れる上り方向について説明する。加入者宅５０４のＳＴＢの視聴制御信号、ＣＭのデータ信号等（上りＣＡＴＶ信号と称する）が、同軸伝送路５０３（同軸ケーブル、保安器、分岐器、中継増幅装置等）を通過し、ノード装置５０２に到達する。上りＣＡＴＶ信号は、ノード装置５０２内の光送信器でＣＡＴＶ光信号に変換され、上り用光ファイバを伝送し、センタ５０１の上り光受信器にて受信される。光ファイバ伝送路やノード装置内での光送信器の複数使用により、冗長構成をとっている場合は、光受信器を複数設置して各々の光受信器出力を切替器に入力し切り替える。
【０００５】
以上のように従来のコンベンショナルなＨＦＣシステムでは、ノード装置で下り信号を光電気変換し、上り信号を電気光変換するため、ノード装置を含めたノード装置以降のフィールド機器の各監視制御を、電気信号で容易に行うことが可能である。
【０００６】
以上のコンベンショナルなＨＦＣシステムに対し、さらに加入者に近いところまで光ファイバを布設し、主としてケーブルモデムを使用する際の伝送容量を大幅に増加させるＨＦＣシステムが、現在種種検討されている。このような従来のＨＦＣシステムの従来例を、図３に示す。
【０００７】
従来例を示す図３では、センタ２０１からノード装置２０２の間にハブ装置２０３を設置し、各ノード装置２０２から加入者２０４までは同軸伝送路２０５を敷設する。このことにより、各ノード装置の対象世帯数を、数十〜数百世帯とする。センタ〜ハブ装置間は距離も比較的長く、ハブ装置〜各ノード装置間は比較的短い距離とする。
【０００８】
次に図４に示した従来例の内容を、詳細に説明する。センタ３０１の下り光送信器からハブ装置３０３内の下り光受信器へＣＡＴＶ光信号を伝送し、冗長構成をとっている場合は切替器で切替を行い、再度ハブ装置３０３内の光送信器で電気光変換し、近傍のクロージャ３０４等でＮ光分岐し、Ｎ台のノード装置３０２内の光受信器で受信する。
【０００９】
各ノード装置３０２内の上り光送信器から、ハブ装置３０３内のＮ波ＷＤＭフィルタに上りＣＡＴＶ光信号を伝送し、波長多重される。ハブ装置３０３もしくは近傍のクロージャ３０４等で多重された上りＣＡＴＶ光信号は、センタ３０１へ伝送され、Ｎ波ＷＤＭフィルタで各波長に分離され、各光受信器で受信される。冗長構成をとっている場合は、切替器で選択され、上りＣＡＴＶ信号がセンタに到達することとなる。
【００１０】
本願発明と技術内容が近似する特許文献１では、下流側から上流側に向けて、下流側で実際に受信した放送信号に対応するモニタ信号を送信し、上流側においてそのモニタ信号を監視するようにしている。これにより、実際の受信画像を直接細かく診断することによって十分な保守管理が可能となる、としている。
【００１１】
特許文献２は、複数の光信号を結合し一括して伝送するＨＦＣ伝送の受光レベルモニタシステムに関する発明であり、伝送される光信号の変換前の電気信号に挿入するための基準信号を発生し、一括して伝送され受光された光信号を電気信号に変換した後に、その電気信号の分岐信号から基準信号を取り出し、取り出した基準信号のレベルに基いて各光信号の受光レベルをモニタする、としている。
【００１２】
特許文献３では、映像、音声、データ等のコンベンショナルサービス用の光信号とギガイーササービス用の光信号とを波長分割多重し、特許文献４では、コンピュータが複数の光送信機モジュール、光受信機モジュール叉は他のケーブル・テレビジョン要素モジュールを順にポーリングし、それらの動作を決定する、各技術を開示している。
【００１３】
【特許文献１】実用新案登録第３０１２９９５号公報
【特許文献２】特開２００１−１４４６８６号公報
【特許文献３】特開２００３−００９１１２号公報
【特許文献４】特表平０７−５００７０５号公報
【発明の開示】
【発明が解決しようとする課題】
【００１４】
本発明が解決しようとする従来技術における問題点は、以下の通りである。
図３および図４の従来のシステム例では、ハブ装置内では上りＣＡＴＶ信号を電気信号として扱っていない。このため、ハブ装置の監視ができないという課題がある。
図５の従来例では、ハブ装置４０３をセンタ４０１から遠隔監視制御する目的として、内部に監視制御器４０７を実装している。本従来例４では、下り監視制御信号は、切替器出力信号から監視制御器４０７で検出することが可能である。しかし、上り監視制御信号を送るために光送信器４０８に信号を送り、光送信器４０８からの上り監視制御光信号を別芯の光ファイバを通じてセンタ４０１に送出する。この監視制御のために、光送信器４０８を搭載するとともに、光ファイバ伝送路を用意しなくてはならない。よって、構成が複雑化する問題点がある。
【課題を解決するための手段】
【００１５】
請求項１に記載の本発明は、光送信器、光受信器、切替器、Ｎ波ＷＤＭ、光分光器を有しハブ装置と接続されたセンタと、光受信器、切替器、光送信器、監視制御器、光結合器、光分岐器を有しセンタとノード装置間に存するハブ装置と、Ｎ分岐器を有してハブ装置の光信号をＮ分岐してＮ個のノード装置との間を接続するクロージャと、光受信器および光送信器を有し、所定の加入者宅の通信機器と接続されたノード装置と、を備えて構成され、ハブ装置の内部に実装された監視制御器を用いて、このハブ装置のセンタからの遠隔監視制御を可能としたことを特徴としている。
【００１６】
請求項２に記載の発明は、請求項１に記載のＣＡＴＶ監視システムにおいて、加入者宅の通信機器には、ＳＴＢ（セットトップボックス）、ＴＶ、ＣＭ（ケーブルモデム）、ＰＣ（パーソナルコンピュータ）、の何れかが含まれること特徴としている。
【００１７】
請求項３に記載の発明は、請求項１または２に記載のＣＡＴＶ監視システムにおいて、ハブ装置内の光送信器が、下りＣＡＴＶ信号と上り監視制御信号を電気光変換し、遠隔監視制御を可能としたことを特徴とする。
【００１８】
請求項４に記載の発明は、請求項１から３の何れかに記載のＣＡＴＶ監視システムにおいて、光送信器は、下り光送信器の出力であるＣＡＴＶ光信号の一部をハブ装置内の光分岐器により分岐させ、該分岐したＣＡＴＶ光信号には上り監視制御信号が含まれており、ハブ内の光結合器にて上りＣＡＴＶ光信号と結合するか、Ｎ波ＷＤＭフィルタの未使用の波長ポートに入力する、ことを特徴とする。
【００１９】
請求項５に記載の発明は、請求項１から４の何れかに記載のＣＡＴＶ監視システムにおいて、上り監視制御信号は、光結合器にて上りＣＡＴＶ光信号と結合時に、上りＣＡＴＶ光信号波長以外の波長とする、ことを特徴とする。
【００２０】
請求項６に記載の発明のＣＡＴＶ監視方法は、加入者宅の通信機器とノード装置とハブ装置とが網状に接続され、ハブ装置とセンタとが相互に接続されてＨＦＣシステムが構成された該ＨＦＣシステムのＣＡＴＶ監視方法であり、ハブ装置の内部に監視制御器を実装し、ハブ装置内の光送信器が下りＣＡＴＶ信号と上り監視制御信号を電気光変換し、センタが電気光変換された信号に基づき通信異常の発生有無の遠隔監視制御を可能とした、ことを特徴とする。
【００２１】
請求項７に記載の発明では、請求項６に記載のＣＡＴＶ監視方法において、上記光送信器は、下り光送信器の出力であるＣＡＴＶ光信号の一部をハブ装置内の光分岐器により分岐させ、該分岐したＣＡＴＶ光信号に上り監視制御信号を含ませた、ことを特徴とする。
【発明の効果】
【００２２】
本発明のＣＡＴＶ監視システムおよびＣＡＴＶ監視方法では、ハブ装置に上り監視制御信号用光送信器及び光ファイバ伝送路を特別に用意することなしに、センタからハブ装置の遠隔監視制御を行うことが可能となるという効果を奏する。
さらに、下りＣＡＴＶ光信号の一部をセンタに戻すことで、下りＣＡＴＶ光信号のレベル変化量等を分岐させた実際の光レベルとしてモニタすることが可能となる。
【発明を実施するための最良の形態】
【００２３】
添付図面を参照して本発明によるＣＡＴＶ監視システムおよびＣＡＴＶ監視方法の実施の形態を詳細に説明する。図１を参照すると、本発明のＣＡＴＶ監視システムおよびＣＡＴＶ監視方法の一実施形態が示されている。
本発明のＣＡＴＶ監視システムおよびＣＡＴＶ監視方法では、監視制御のための光送信器を使用せず、また光ファイバ数を増加させずに行うことを特徴とする、ＣＡＴＶ伝送方法におけるハブ装置の監視制御の方法を提供する。
【００２４】
実施例を図１に示す。本図１に示したＣＡＴＶ監視システムおよびＣＡＴＶ監視方法は、センタ１０１、ハブ装置１０３、クロージャ１０４、ノード装置１０２、等を有し、さらに同軸伝送路１０５を介して加入者宅装置１０６と接続されて構成されるシステムへ適用される。
【００２５】
これらのシステムの構成部において、センタ１０１は、光送信器、光受信器、切替器、Ｎ波ＷＤＭ、光分岐器１１０、等を有して構成される。
ハブ装置１０３は、光受信器、切替器、光送信器、監視制御器１０７、光分岐器１０８、光結合器１０９、等を有して構成される。
クロージャ１０４は、Ｎ分岐器を有して構成される。
ノード装置１〜Ｎ（１０２）は、光受信器、光送信器、等を有して構成される。
加入者宅装置１０６は、ＳＴＢ（セットトップボックス）、ＴＶ、ＣＭ（ケーブルモデム）、ＰＣ（パーソナルコンピュータ）、等を有して構成される。これらの構成内容を以下に詳述する。
【００２６】
図１に示したＣＡＴＶ監視システムでは、ハブ装置１０３をセンタ１０１から遠隔監視制御することを目的として、ハブ装置１０３の内部に監視制御器１０７を実装している。このハブ装置１０３内の監視制御器１０７では、下り監視制御信号を切替器の出力から受信し、上り監視制御信号を一旦、切替器出力部に伝送する。
【００２７】
ハブ装置１０３内の下り光送信器では、予め下りＣＡＴＶ信号と上り監視制御信号を電気光変換できるように準備しておく。しかし、この準備は、使用周波数帯が近く変更が必要であっても軽微の変更である。そして、下り光送信器の出力であるＣＡＴＶ光信号の一部をハブ装置１０３内の光分岐器１０８により分岐させる。分岐したＣＡＴＶ光信号には上り監視制御信号が含まれており、ハブ内の光結合器１０９にて上りＣＡＴＶ光信号と結合するか、Ｎ波ＷＤＭフィルタの未使用の波長ポートに入力する。上記光結合器１０９にて上りＣＡＴＶ光信号と結合時に、上りＣＡＴＶ光信号波長以外の波長とする。
【００２８】
センタ１０１では、センタ内光分岐器１１０かＮ波ＷＤＭフィルタにより上り監視制御信号が含まれる波長光を分岐し、Ｎ＋１番目の光受信器で受信する。
【図面の簡単な説明】
【００２９】
【図１】本発明のＣＡＴＶ監視システムおよびＣＡＴＶ監視方法へ適用される通信システムの構成図である。
【図２】従来例のＨＦＣシステムの構成例を示している。
【図３】従来例のＨＦＣシステムの構成例を示している。
【図４】従来例のＨＦＣシステムの構成例を示している。
【図５】従来例のＨＦＣシステムの構成例を示している。
【符号の説明】
【００３０】
１０１    センタ
１０２    ノード装置
１０３    ハブ装置
１０４    クロージャ
１０５    同軸伝送路
１０６    加入者宅装置
１０７    監視制御器
１０８、１１０    光分岐器
１０９    光結合器
【図１】
2005086558.tif 000003
【図２】
2005086558.tif 000004
【図３】
2005086558.tif 000005
【図４】
2005086558.tif 000006
【図５】
2005086558.tif 000007